(57)【要約】圧縮機及びタービンのようなターボ機械用のベント式軸受リテーナー及びころ軸受。軸受リテーナー部材の内周面内にまたはそれに隣接した軸方向開口は、ころ軸受上の圧力差を均等にする。内周面内に軸方向溝が提供され得る。リテーナー部材のＯＤ上のダンパー部材は、剛性振動モードを最小化し、熱成長及び誤整列に対応することができる。【選択図】図１
2020507039.tif 000002
【特許請求の範囲】
【請求項１】
ころ軸受と共に使用するための軸受リテーナー部材であって、前記軸受リテーナー部材は、
外面及び内面を有する円形の軸方向に延びる環状壁部材、及び前記環状壁部材に取り付けられた半径方向に延びる壁フランジ部材であって、
ガスの通過のための少なくとも１つの貫通開口を有する前記壁フランジ部材、及び
前記円形の軸方向に延びる環状壁部材の前記内面内の少なくとも１つの溝とを含む、軸受リテーナー部材。
【請求項２】
複数の貫通開口が前記壁フランジ部材内に提供される、請求項１に記載の軸受リテーナー部材。
【請求項３】
複数の溝が、前記円形の軸方向に延びる壁部材の前記内面内に提供される、請求項１に記載の軸受リテーナー部材。
【請求項４】
前記少なくとも１つの貫通開口及び前記少なくとも１つの溝は、実質的に軸方向に整列され、前記貫通開口及び前記溝は、単回の機械加工動作で形成され得る、請求項１に記載の軸受リテーナー部材。
【請求項５】
前記外面上に円周方向に提供された少なくとも１つのＯリング溝をさらに含む、請求項１に記載の軸受リテーナー部材。
【請求項６】
ころ軸受メカニズム及び軸受リテーナー部材を含むころ軸受アセンブリーであって、前記ころ軸受メカニズムは、内輪部材と、外輪部材と、前記内輪部材と外輪部材との間に位置決めされた複数のころ部材を含み、前記軸受リテーナー部材は、外面及び内面を有する円形の軸方向に延びる環状壁部材と、前記環状壁部材に取り付けられた半径方向に延びる壁フランジ部材であって、ガスの通過のための少なくとも１つの貫通開口を有する前記壁フランジ部材と、前記円形の軸方向に延びる環状壁部材の前記内面内の少なくとも１つの溝とを含み、前記ころ軸受メカニズムは、前記軸受リテーナー部材内に取り付けられ、前記ころ軸受アセンブリーの軸方向側面間の圧力差は均等になることができる、ころ軸受アセンブリー。
【請求項７】
複数の貫通開口が前記壁フランジ部材内に提供される、請求項６に記載のころ軸受アセンブリー。
【請求項８】
複数の溝が前記円形の軸方向に延びる壁部材の前記内面内に提供される、請求項６に記載のころ軸受アセンブリー。
【請求項９】
前記少なくとも１つの貫通開口及び前記少なくとも１つの溝は、実質的に軸方向に整列され、前記貫通開口及び前記溝は、単回の機械加工動作で形成され得る、請求項６に記載のころ軸受アセンブリー。
【請求項１０】
前記外面上に円周方向に提供された少なくとも１つのＯリング溝と、前記溝内に位置決めされたＯリングとをさらに含む、請求項６に記載のころ軸受アセンブリー。
【請求項１１】
ハウジング部材を有するターボ機械をさらに含み、少なくとも１つのころ軸受アセンブリーが前記ハウジング部材内に位置決めされる、請求項６に記載のころ軸受アセンブリー。
【請求項１２】
内燃機関用の強制誘導装置であって、
ハウジング；
前記ハウジング内に配置されたインペラー部材；
前記インペラー部材が結合され、前記ハウジングを介して延びるシャフト；及び
前記シャフトに結合された軸受アセンブリーを含み、前記軸受アセンブリーは、半径方向に柔軟な方式で前記ハウジングに結合され、前記軸受アセンブリーの各側面に対する圧力をバランシングする、強制誘導装置。
【請求項１３】
前記軸受アセンブリーは、環状リテーナー及びその中に収容されたローラー−要素軸受を含み、前記環状リテーナーは、前記ハウジングに結合され、これらの間には、環状減衰部材が半径方向に圧縮され、前記リテーナーは、前記ローラー−要素軸受に向かって半径方向の内側に開放して前記ローリング−要素軸受の各側面に対する圧力をバランシングする軸方向に延びる通路を含む、請求項１２に記載の強制誘導装置。
【請求項１４】
前記環状減衰部材は、少なくとも１つのＯリング部材または金属構造ダンパー部材のいずれかである、請求項１３に記載の強制誘導装置。
【請求項１５】
前記強制誘導装置は、タービンターボ機械または圧縮機ターボ機械のいずれかである、請求項１３に記載の強制誘導装置。
【発明の詳細な説明】
【技術分野】
【０００１】
本発明は、ターボ機械用軸受に関し、より詳細には、ころ軸受用リテーナー及びアセンブリーに関する。
【背景技術】
【０００２】
ターボ機械は、ローターと流体との間でエネルギーを伝達し、タービンと圧縮機の両方を含む。タービンは流体からローター（インペラー）にエネルギーを伝達する一方、圧縮機はローター（インペラー）から流体にエネルギーを伝達する。一般に、開放型及び閉鎖型ターボ機械がある。プロペラ、風車、及びシュラウドなしファンのような開放型機械は、無限大の流体として作動し、一方、閉鎖型機械は、流体がハウジングまたはケーシングを通過する際に有限量の流体に作動する。ターボ機械はまた、軸流機械または半径（遠心）流機械であるかによって分類される。
【０００３】
圧縮機ターボ機械及びタービンターボ機械は、典型的に、一端部にインペラーがある本体またはハウジング内に配置された回転シャフトを含む。シャフトの回転は、インペラーの回転を引き起こし、それは次に、インペラーが流体の流れを圧縮または容易にする。シャフトが自由に回転することを可能にするために、ころ軸受のような軸受が提供される。
【０００４】
正しい潤滑は、軸受の性能と寿命にとって重要である。永久的に潤滑される軸受の場合には、軸受から潤滑油を押し出す可能性がある圧力差（ｐｒｅｓｓｕｒｅ  ｄｉｆｆｅｒｅｎｔｉａｌｓ）を均等にすることも必要である。リテーナー部材は、軸受からの潤滑油の損失を防止するのを助けるだけでなく、汚染物が軸受に侵入することを防止し、それらの性能及び耐久性を低下させるのを防止するのに使用され得る。
【０００５】
高速ターボ機械の場合には、ころ軸受または軸受リテーナーの外輪（ｏｕｔｅｒ  ｒａｃｅ）がシャフト及びインペラーと同じ速度で回転するのを防止し、それらの持続時間及び性能を増加させることも重要である。
【発明の概要】
【発明が解決しようとする課題】
【０００６】
したがって、本発明の目的は、潤滑油の保持が改善されるだけでなく、アセンブリーの耐久性及び寿命が改善される、永久潤滑型軸受（ｐｅｒｍａｎｅｎｔｌｙ  ｌｕｂｒｉｃａｔｅｄ  ｂｅａｒｉｎｇ）のための改善された保持部材、及び永久潤滑型軸受と改善された保持部材のアセンブリーを提供することである。本発明の他の目的は、改善されたころ軸受及びリテーナーアセンブリーだけでなく、ころ軸受のための改善されたリテーナー部材を提供することである。
【課題を解決するための手段】
【０００７】
これら及び他の目的は、改善された軸受リテーナー部材及びこのようなリテーナー部材ところ軸受のような軸受との改善された組み合わせを提供する本発明によって充足される。軸受リテーナー部材は、その内周面に隣接した１つ以上の軸方向ベントを有する。ベントは、軸受から、例えば、過去の軸受側面シールドなど、潤滑油を押し出す可能性がある圧力差を均等にする。また、１つ以上の半径方向溝が軸方向ベントに隣接したリテーナー部材の内周面上に提供され得る。半径方向溝は、ころ軸受またはアセンブリーの近くで発生する可能性のあるガスのためのバイパスを提供する。
【０００８】
ダンピングを提供し、ハウジング内の軸受リテーナー部材の回転を制限するために、１つ以上の減衰部材がリテーナー部材の外周面上に提供される。減衰部材は、Ｏリングのようなゴムまたはエラストマリング部材であり得るか、またはハウジングとの減衰及び摩擦接触を提供する金属製の圧縮可能な構造部材であり得る。
【０００９】
本発明の他の特徴だけでなく、他の利点及び長所は、添付の図面及び添付の特許請求の範囲と組み合わせて以下の本発明の説明から明らかになるであろう。
【図面の簡単な説明】
【００１０】
【図１】本発明を使用する代表的なターボ機械の断面斜視図である。
【図２】図１の領域２の分解図である。
【図３】本発明によるころ軸受と軸受保持部材の組み合わせの斜視図である。
【図４】図３に示された本発明の断面図である。
【図５】本発明による軸受リテーナー部材の斜視図である。
【図６】図３及び図４に示された本発明の分解図である。
【図７】本発明の代替実施形態を示す。
【発明を実施するための形態】
【００１１】
好ましい実施形態の詳細な説明
本発明は、特に、タービン発電機または電気過給機のような高速ターボ機械のための永久潤滑型ころ軸受メカニズムに関するものであり、本明細書で例示的な方式で説明されるであろう。しかしながら、本発明は、これらの状況及びこれらの製品についてのみ本発明を使用することに限定されるべきではない。ターボ機械は、タービン、圧縮機、ポンプ、ファンなどを含む様々なインペラーを支援することができる。軸受はまた、様々なタイプの玉軸受またはころ軸受、例えば、円筒ころ軸受、テーパーころ軸受、球面ころ軸受などのような任意のタイプの標準軸受であり得る。ローラー要素はさらに、１つ以上の列に配置されることもできる。使用されるグリースまたは潤滑油のタイプはまた、任意の標準タイプであり得るか、または将来新たに合成され得る。
【００１２】
軸受はまた、永久的に潤滑されるタイプである必要もない。それは、潤滑油の補充のためのポートを有する軸受であり得る。グリースまたは潤滑油は、好ましくは、水分だけでなく、固体及び液体の汚染物に対して軸受メカニズムをシールするのに十分なタイプ及び量のものでなければならない。軸受に塗布されるグリースの量は、通常、用途によって異なる。不十分な量のグリースは、金属間の接触（ｍｅｔａｌ−ｔｏ−ｍｅｔａｌ  ｃｏｎｔａｃｔ）及び早期軸受故障を誘発することができる。過度な量のグリースは、軸受内の作動温度を急激に上昇させることができる。グリースの量はまた、軸受の速度範囲に依存することができる。より大量の潤滑油（１００％まで充填される）は、典型的に、低速用途に使用され、より少量の潤滑油（例えば、３０〜５０％）は、典型的に、中速〜高速用途に使用される。
【００１３】
エンドキャップまたはエンドシールドのようなリテーナー部材がまた、軸受内にグリースを保持し、より長い軸受寿命を提供するのに使用される。グリースがリテーナーまたはキャップ部材に塗布されることができ、その後、ころ軸受が軸受−リテーナーアセンブリーにできるだけ多くのグリースを捕獲するリテーナー部材内にまたはそれと共に組み立てられることができる。
【００１４】
さらに、Ｏリングまたは金属付勢力部材のような減衰または軟化部材の使用が好ましいが、そのようなアイテムは、リテーナー及び軸受アセンブリーの特定の実施形態では必要とされない可能性もある。ソフト取り付けアセンブリーは、リテーナー部材の回転を減少または防止し、軸方向移動を可能にし、効果的な軸方向予圧を保障し、また回転アセンブリーの剛性振動モードを下げることができるので好ましい。ソフト取り付けアセンブリーはさらに、熱成長及び誤整列によりよく対応することができる。
【００１５】
図１を参照すると、代表的なタービン発電機１０で使用される本発明が示されている。タービンは、ハウジング１５、内部に取り付けられた回転シャフト部材１４、流体ダクト１７、及びシャフト部材の一端部に取り付けられたインペラー１６を含む。
【００１６】
シャフト部材１４は、一対の軸受アセンブリー１８、２０によってステータハウジング１２内に回転可能に取り付けられる。ステータハウジング内の電気モーター２２は、シャフト部材を回転させるための電力を生成するのに使用される。モーターは、シャフト部材１４に固定的に取り付けられるローター部材２６を回転させるステータ部材２４を有する。ターボ機械１０はまた、ラビリンスシール（ｌａｂｙｒｉｎｔｈ  ｓｅａｌ）２３、熱シールド２５、及び冷却水通路２７を有する。
【００１７】
軸受アセンブリー１８、２０は、両方とも同じタイプの軸受であり得るか、または異なるタイプであり得る。軸受アセンブリー２０が、本発明の好ましい実施形態の使用に関して本明細書で説明されるであろう。軸受１８は、好ましくは、ベント式軸受アセンブリー２０と同じタイプであり、同じ構成要素を有する。
【００１８】
本発明の軸受アセンブリー２０は、図２〜図６に示されている。アセンブリー２０は、一般に、軸受部材２５と、リテーナー部材３０とを含む。示した実施形態において、軸受部材は、ケージ部材３８内に位置決めされた複数の球状ボール部材３２を有するころ軸受である。７つのボール部材３２が示されているが、ボール部材の数は重要ではなく、このタイプのころ軸受に使用される任意の数であり得る。
【００１９】
ころ軸受アセンブリー２０は、内輪部材３４及び外輪部材３６を含み、この両方は、ボール部材に対してそれぞれ曲線状のレースウェイ３５、３７を有する。「ケージ（ｃａｇｅ）」とも呼ばれるボールホルダー部材３６は、２つの輪部材の間に位置決めされ、ボール部材を定位置に保持し、軸受アセンブリーの円周の周りに均等に離隔されるために使用される。ボール部材３２のうちの１つは、ケージ部材３８内の各々の開口３９内に位置決めされる。
【００２０】
環状シールド部材４０、４２は、２つの輪部材の２つの軸方向側面上に位置決めされる。リテーナー部材４０、４２は、軸受が満足に作動するように、ころ軸受部材の内部に潤滑油を維持するのを助ける。
【００２１】
キャップタイプのリテーナー部材３０は、図３〜図６に最もよく示されている。リテーナー部材３０は、外側ＯＤ円周面５０及び内側ＩＤ円周面５２を有する。リテーナー部材３０はまた、半径方向の環状フランジ部材５４を有する。
【００２２】
好ましくは、リテーナー部材３０は、鋼またはアルミニウム材料のような適切な強度、熱、磁気及び製造特性を有する金属材料からなる。同様に、内輪部材３４及び外輪部材３６も同様の材料からなる。ボール部材３２は、好ましくは、窒化ケイ素または適切な材料からなる。鋼鉄のような金属ボール材料は、より高い遠心力、熱膨張及び電気伝導度のため、高速電気ターボ機械に対する使用が制限され得る。ホルダー部材３８は、好ましくは、プラスチックまたはポリマー材料からなる。
【００２３】
複数の軸方向ベント開口６０が、リテーナー部材３０内に提供される。ベント開口は、図５及び図６により詳細に示したように、リテーナー部材３０の内周面５２に隣接して提供される。ベント開口は、潤滑油を側面シールド４０、４２を過ぎて軸受部材の外に押し出す可能性がある任意の圧力差を均等にするために提供される。
【００２４】
好ましくは、３つのベント開口６０が提供されるが、その数はそれより少ないか多いことができる。ベント開口はまた、好ましくは、図３〜図６に示したように、リテーナー部材上に均等に離隔されている。ベント開口を均等に離隔することは、外輪の歪曲を回避することができる。ベントのサイズは、適切な圧力差が均等になる限り、重要ではない。
【００２５】
複数の溝７０がリテーナー部材３０の内周面５２上に提供される。溝は、好ましくは、軸方向に配向される。溝の深さは、例えば、リテーナー部材の厚さの１０〜８０％であり得る。溝は、シャフト部材の周囲のタービンハウジング内に形成されるか、または軸受アセンブリー２０によって引き起こされることができる任意のガスが、ベント開口６０を通ってバイパスしてベントされることを可能にするために提供される。３つの溝７０が図面に示されているが、実際の数は３つ超過または３つ未満であり得る。好ましくは、その数は、ガスの効率的な除去及び任意の圧力差の均等化のためのベント開口の数と同じであり、好ましくは、溝７０は、示したように、ベント開口６０と整列され、かつ連通する。
【００２６】
軸受ＩＤから軸受の外輪へのガスの半径方向バイパス流（ｒａｄｉａｌ  ｂｙｐａｓｓ  ｆｌｏｗ）が、図４に矢印７４で示されている。軸方向溝７０は、図４に矢印７６で示した方式で内周面上にバイパス流路を提供する。
【００２７】
好ましくは、ベント開口６０及び溝７０は同時に、同じ機械加工または粉砕手順で形成される。ベント開口及び溝はまた、鋳造、焼結、金属射出成形、３Ｄ印刷などのような任意の他の通常的な成形動作によっても形成され得る。これらはまた、１つのステップにおいてリテーナー部材の１つの軸方向側面から形成され得る。図面に示したベント開口及び溝の幾何学的形状は、この方式で達成されるように提供される。これにより、リテーナー部材３０だけでなく、完全な軸受アセンブリー２０を製造するのに必要なコスト及び時間を節減する。
【００２８】
ベント開口６０及び溝７０が、１ステップの機械加工動作で形成され得る本発明の実施形態が図５及び図６に示されている。
【００２９】
フランジ壁５４を通るベント開口は、高速、高ブースト動作中の軸受圧力差を防止する。直接軸受ベント６０はまた、すべての条件下で均等化された圧力を保障する。
【００３０】
ベント開口及び溝に加えて、好ましい軸受アセンブリーはまた、減衰「ソフト」取り付け特徴部を有する。一実施形態では、１つ以上のＯリング溝８０がリテーナー部材３０の外側ＯＤ円周面５０上に位置決めされる。Ｏリング部材８２は、図４に最もよく示したように、溝８０内に位置決めされ、表面５０のわずか上に延びる。タービンハウジング１２内の軸受アセンブリー２０の「ソフト」取り付けは、図１及び図２に示されている。
【００３１】
ころ軸受及びリテーナー部材アセンブリーがハウジング内に設置されるとき、Ｏリングはターボ機械内のアセンブリーに対して柔軟な取り付けを提供する。ソフト取り付けは、構造的な減衰を提供し、移動及び振動の剛性モードに遭遇する速度を低下させる。「ソフト」取り付けはまた、ハウジング内の軸受アセンブリーの任意の熱成長及び／または誤整列にも対応する。Ｏリングはさらにハウジングとの摩擦を提供し、シャフト部材及びころ軸受の速度に対するリテーナー部材の回転速度を制限する。
【００３２】
Ｏリング８２は、今日使用中の任意の通常的なタイプの適切な耐薬品性及び耐熱性エラストマーＯリングであり得る。リテーナー部材の外面内に位置決めされたＯリングは、圧縮機ハウジング１２内に軸受アセンブリー２０のフローティングマウント（ｆｌｏａｔｉｎｇ  ｍｏｕｎｔ）を提供する。
【００３３】
本発明の軸受アセンブリーの代替実施形態１００が図７に示されている。この実施形態１００は、上述の実施形態１０と同じベント開口６０及び半径方向溝７０を含むが、異なる減衰特徴部を有する。円周方向溝内に１つまたは２つのＯリングを使用するのではなく、実施形態１００は、その代わりに、リテーナー部材の外周面１０４上に金属構造ダンパー部材１０２を含む。ダンパー部材１０２は、好ましくは、外面１０４上の円周方向溝１０６内に位置決めされる。金属ダンパー部材は、その円周の周囲に、ハウジング上に付勢力を提供する複数の柔軟部または柔軟部材１０８を有する。軸受アセンブリー１００がハウジングに取り付けられるかまたは組み立てられるとき、付勢部材１０８は軸受アセンブリーを定位置に固定し、図１〜図６に関して上述したのと同じ「ソフト」取り付けを提供する。好ましくは、金属ダンパー部材１０２は、ダンパー部材が回転するのを防止するために部材１２０のような回転防止特徴部を含む。軸受アセンブリーはまた、シャフト部材上から軸方向に摺動するのが可能になっており、好ましくは半径方向減衰力を提供する。
【００３４】
本発明が１つ以上の実施形態に関連して説明されているが、説明している特定メカニズムおよび技術は、単に本発明の原理を説明するためのものであり、添付された特許請求の範囲によって定義されているように、本発明の思想および範囲を逸脱せずに、説明された方法および装置に対して様々な修正が行われ得るということを理解すべきである。
【図１】
2020507039.tif 000003
【図２】
2020507039.tif 000004
【図３】
2020507039.tif 000005
【図４】
2020507039.tif 000006
【図５】
2020507039.tif 000007
【図６】
2020507039.tif 000008
【図７】
2020507039.tif 000009
【国際調査報告】
2020507039.tif 000010
2020507039.tif 000011
2020507039.tif 000012